(57)【特許請求の範囲】
【請求項１】
被験者の体に穿刺された注入針の針先付近に貼り付けられ、その位置にセンサユニットを位置決めする粘着シートと、
前記粘着シートの一方の面に貼られた表剥離紙と、
前記粘着シートの他方の面に貼られた裏剥離紙と、
を備える剥離紙付き粘着シートであって、
前記表剥離紙または裏剥離紙は、それらが前記粘着シートに貼られた状態で前記粘着シートの外周部から延び出す延出部を有しており、
該延出部には、前記注入針が被験者の体に穿刺された位置である穿刺位置からその注入針の針先までの距離を示す穿刺位置目印が設けられている、剥離紙付き粘着シート。
【請求項２】
前記注入針の長さに対応して、複数の前記穿刺位置目印が設けられている、請求項１に記載の剥離紙付き粘着シート。
【請求項３】
前記表剥離紙の延出部に前記穿刺位置目印が設けられている、請求項１または２に記載の剥離紙付き粘着シート。
【請求項４】
前記表剥離紙の延出部として、前記注入針の両側に位置するとともにその注入針に沿って延びるように形成された２つの延出部が設けられている、請求項３に記載の剥離紙付き粘着シート。
【請求項５】
前記表剥離紙が、さらに、
前記注入針の針先の位置を示すガイドマークを有している、請求項１〜４のいずれか１項に記載の剥離紙付き粘着シート。
【請求項６】
前記粘着シートが、さらに、
前記センサユニットの貼付け位置を示すマークを有している、請求項１〜５のいずれか１項に記載の剥離紙付き粘着シート。
【請求項７】
請求項１〜６のいずれか１項に記載に剥離紙付き粘着シートと、
前記センサユニットから引き出されたコードを被験者の体に固定するための固定テープと、
前記粘着シート上に固定されたセンサユニットを覆うように被験者の体に貼り付けられるカバーテープと、
を備える、シートキット。
【請求項８】
前記カバーテープに、該カバーテープを少なくとも２つに分割する切れ目が形成されている、請求項７に記載のシートキット。
【発明の詳細な説明】
【技術分野】
【０００１】
本発明は、センサユニットを被験者の体の所定位置に位置決めするための粘着シート等に関し、特には、注入針の長さが異なっていたとしても、その注入針の針先付近にセンサユニットを正確に位置決めすることができる剥離紙付き粘着シート等に関する。
【背景技術】
【０００２】
現在、医療用の画像診断装置として、ＣＴ(Computed Tomography)スキャナ、ＭＲＩ(Magnetic Resonance Imaging)装置、ＰＥＴ(Positron
Emission Tomography)装置等が知られている。このような撮像装置を使用する際、被験者に造影剤や生理食塩水など（以下、これらを単に「薬液」とも言う）を注入することがある。
【０００３】
この薬液注入においては、注入針の針先が被験者の血管から外れてしまい造影剤が皮下に注入されることがある（「血管外漏出」という）。例えば特許文献１には、このような血管外漏出を検出するための技術が開示されている。
この文献に記載の漏出検出ユニットは、所定波長の赤外線を被験者の体の一部に照射する発光ダイオードと、その反射光を受光するフォトトランジスタとを有しており、反射光の強度変化をみることで血管外漏出の有無を判定する。
また、同文献では、粘着シートを用いて漏出検出ユニットを被験者の体に固定することが記載されている。
【先行技術文献】
【特許文献】
【０００４】
【特許文献１】ＷＯ２００６／０３０７６４
【発明の概要】
【発明が解決しようとする課題】
【０００５】
上述のような漏出検出ユニットを用いて血管外漏出を良好に検出するためには、漏出検出ユニットを注入針を所定位置（例えば、注入針の針先付近）に正確に配置する必要がある。漏出検出ユニットが所定位置に配置されていない場合、正確な漏出検出を行うことができなかったり、場合によっては漏出検出を全く行うことができないおそれがある。
【０００６】
漏出検出ユニットを正確な位置に配置するためには、先ず、粘着シート自体を所定位置に正確に貼り付ける必要がある。その場合、例えば、粘着シートにガイドマークを印刷するなどして粘着シートを所定位置に正確に位置決めできるようにすることも考えられる。しかしながら、この場合、粘着シートのサイズを大きくする必要があり、そのような大型の粘着シートでは、狭い部位や可動部分（例えばひじの内側）に対応するのは困難である。
また、一般に注入針の長さはメーカの違いなどによって様々であるが、このように針の長さが異なる場合であっても、それぞれの針に対応して針先位置に漏出検出ユニットを正確に固定できることが望ましい。
【０００７】
本発明は上記課題に鑑みてなされたものであって、その目的は、注入針の長さが異なっていたとしても、その注入針の針先付近に漏出検出ユニットを正確に位置決めすることができる剥離紙付き粘着シートおよびそれを備えたシートキットを提供することにある。
【課題を解決するための手段】
【０００８】
上記課題を解決するための本発明の剥離紙付き粘着シートは、
被験者の体に穿刺された注入針の針先付近に貼り付けられ、その位置にセンサユニットを位置決めする粘着シートと、
前記粘着シートの一方の面に貼られた表剥離紙と、
前記粘着シートの他方の面に貼られた裏剥離紙と、
を備える剥離紙付き粘着シートであって、
前記表剥離紙または裏剥離紙は、それらが前記粘着シートに貼られた状態で前記粘着シートの外周部から延び出す延出部を有しており、
該延出部には、前記注入針が被験者の体に穿刺された位置である穿刺位置からその注入針の針先までの距離を示す穿刺位置目印が設けられている。
「センサユニット」としては、血管外漏出を検出するための漏出検出ユニットであってもよいが、それ以外の検出ユニット（例えば血流を検出するようなもの）などであってもよい。
「穿刺位置目印」としては、点や線などの図柄が表示されたものであってもよいし、数字が表示されたものであってもよい。
【０００９】
このような構成によれば、注入針の穿刺位置からその針先位置までの距離を示す穿刺位置目印が設けられているので、その目印を利用して粘着シートを針先付近に正確に貼り付けることができ、ひいては、センサユニットを正確に位置決めすることが可能となる。
特に、この穿刺位置目印が、粘着シート上ではなく、最終的に剥がされる剥離シート上に設けられているので、粘着シート自体のサイズを大きくする必要もない。
【００１０】
また、本発明は下記のようなものであってもよい。
【００１１】
前記注入針の長さに対応して、複数の前記穿刺位置目印が設けられている。
【００１２】
前記表剥離紙の延出部に前記穿刺位置目印が設けられている。
前記表剥離紙の延出部として、前記注入針の両側に位置するとともにその注入針に沿って延びるように形成された２つの延出部が設けられている。
【００１３】
前記表剥離紙が、さらに、前記注入針の針先の位置を示すガイドマークを有している。
前記粘着シートが、さらに、前記センサユニットの貼付け位置を示すマークを有している。
【発明の効果】
【００１４】
上述したように、本発明によれば、注入針の長さが異なっていたとしてもその注入針の針先付近に漏出検出ユニットを正確に位置決めすることができる剥離紙付き粘着シート等を提供することができる。
【図面の簡単な説明】
【００１５】
【図１】本発明の一形態のシートキットを示す図である。
【図２】図１の粘着シートの平面図である。
【図３】図２のＡ−Ａ線における断面図である。
【図４】表剥離紙の平面図である。
【図５】裏剥離紙の平面図である。
【図６】図１のシートキットの使用方法について説明するための図である（剥離）。
【図７】図１のシートキットの使用方法について説明するための図である（貼付け）。
【図８】図７の状態での注入針と表剥離紙等との位置関係を示す平面図である。
【図９】図１のシートキットの使用方法について説明するための図である（固定）。
【発明を実施するための形態】
【００１６】
以下、図面を参照して本発明の実施の一形態を説明する。
図１に示すように、このシートキット１００は、表裏に剥離紙が貼られた粘着シート３０（この状態のものを剥離紙付き粘着シート５０という）と、後述する漏出検出ユニットのコードを被験者の体の一部に固定するための固定テープ５８と、漏出検出ユニットを覆うようにして被験者の体に貼り付けられるカバーテープ５５と、を備えている。
【００１７】
最初に、本実施形態で利用される注入針および漏出検出ユニット等について図８、図９を参照して説明する。
注入針１２は、その基部が保持部材１３によって保持されており、この保持部材１３には薬液チューブ１５が接続されている。薬液チューブ１５の他端（不図示）は、例えば、注入ヘッドに装着されたシリンジに接続されている。
注入針１２を被験者の体（この例では腕）に穿刺し、針先が被験者の血管Ａに連通した状態（図９参照）で、注入ヘッドを動作させることにより、血管内に薬液が注入される。
【００１８】
漏出検出ユニット１８は、図９に示すように、この例では、平たい円筒状のハウジング内に発光ダイオードやフォトトランジスタ等が内蔵されたものである。漏出検出ユニット１８自体は、従来公知のものを利用可能である。図示は省略するが、ハウジングの下面には複数の開口部が設けられており、これにより、ハウジング内の発光ダイオードからの光線がその開口部を通って被験者の体の表面に向けて照射され、その反射光が他の開口部を通って開口部を通ってハウジング内に戻りフォトトランジスタ等によって受光される。漏出検出ユニット１８は、一例として、コード１８ａを介して不図示の制御装置に接続されている。
【００１９】
注入針１２の針先が血管Ａから外れ血管外漏出が発生した場合、照射された光の特定波長が漏出した造影剤（一例）によって吸収されることとなり、その結果、正常時と比較して、反射光のうち特定波長の強度が低下する。この反射強度の変化をみることによって、血管外漏出の有無を判定することができる。
なお、漏出を検出するための方式は上記に限定されるものではなく、他の種々の方式を利用してもよい。
【００２０】
以下の説明では、図８に示すように注入針１２が被験者の体に穿刺される位置を穿刺位置Ｐ２といい、注入針の先端の位置を針先位置Ｐ１という。
【００２１】
再び図１を参照し、剥離紙付き粘着シート５０について説明する。
この剥離紙付き粘着シート５０は、両面に粘着性を有し上記漏出検出ユニット１８を被験者の体に貼り付けるのに用いられる粘着シート３０と、その表面に貼られた表剥離紙２０と、その裏面に貼られた裏剥離紙４０と、を備えている。
【００２２】
図２に示すように、この例の粘着シート３０の輪郭形状は全体として略円形である。具体的には、粘着シート３０は、漏出検出ユニット１８が貼り付けられる部位である円形の本体部３１と、本体部３１の外周部に形成された２つの突出部３１ａ、３１ｂとを有している。粘着シート３０は、一例として、可撓性を有する透明の樹脂製シートで構成されている。
【００２３】
粘着シート３０には、漏出検出ユニット１８の貼付け位置を示すリング状マーク３３が印刷されている。特に限定されるものではないが、このリング状マーク３３の大きさは粘着シート３０の本体部３１大きさよりも一回り小さい程度であり、漏出検出ユニット１８のハウジング形状に対応している。
【００２４】
図３に示すように、シート基材３５の両面に粘着層３７、３７が形成されることによって、粘着シート３０に粘着性が付与されていてもよい。粘着層３７の輪郭形状は円形であってもよく、例えば、本体部３１（直径ｄ１）よりも一回り小さい円形領域（直径ｄ２）に粘着層３７が形成され、本体部３１の周縁部には粘着層３７が形成されていない構成としてもよい。
【００２５】
図２に示すように、各突出部３１ａ、３１ｂのほぼ中央には点状のマーク３８が印刷されている。
【００２６】
次に、図４、図５を参照して表剥離紙２０および裏剥離紙４０について説明する。これらの剥離紙２０、４０は、一部分を除き、基本的には同一の輪郭形状に形成されている。
【００２７】
図５に示すように、裏剥離紙４０は全体として縦長の長方形のような輪郭形状を有しており、具体的には、剥離する際に被験者によって摘まれる下部側の下部領域４２（略四角形）と、そこから上方に向かってややすぼまるように形成された上部領域４１とに分けられる。上部領域４１の先端側は、粘着シート３０のカーブに合わせて緩やかな円弧状にカーブしている。粘着シート３０は、この上部領域４１に貼り付けられる。
【００２８】
表剥離紙２０は、図４に示すように、裏剥離紙４０の下部領域４１とほぼ同じ形状の上部領域２１と、その上部領域２１から互いに平行に下方に延び出した２つの延出部２２ａ、２２ｂとを有している。
【００２９】
なお、剥離紙の材質自体は特に限定されるものではなく、例えば、紙製の基材の一方の面にシリコーン樹脂製（一例）の剥離層が形成されたものであってもよい。
また、基材の色が例えば白色であり剥離紙全体として半透過性を有していてもよい。表剥離紙２０が半透過性の場合、表剥離紙２０が粘着シート３０上に貼られた状態で、該表剥離紙２０越しに粘着シート３０上の円形のマーク３３を視認できることとなる（図１参照）。これによれば、後述するように、粘着シート３０を被験者の体に貼る際に、該粘着シートの位置合わせがより行い易くなる。
【００３０】
表剥離紙２０の上部領域２１には、図４に示すように、注入針の針先位置を示すマークである十字ガイド２７が印刷されている。この十字の中心（交点）は粘着シート３０の中心に対応している。
【００３１】
図４に示すように、一方の延出部２２ａには、この例ではドット状の３つの穿刺位置目印２８−１〜２８−３（以下、これらを区別せず単に穿刺位置目印２８ともいう）がその長さ方向に沿って印刷されている。この穿刺位置目印２８は、注入針１２の穿刺位置Ｐ２（図８参照）からその注入針の針先位置Ｐ１までの距離を示している。
一例として、３つの穿刺位置目印２８のうちベース部２１から最も離れている目印２８−３は、４８〜５１ｍｍの針の長さに対応する。中間の目印２８−２は３０〜４５ｍｍの針の長さ対応し、ベース部２１に最も近い目印２８−１は１４〜２５ｍｍの針の長さに対応する。
【００３２】
図１に示すように、粘着シート３０の両面に剥離紙２０、４０が貼られた状態では、表剥離紙２０の各延出部２２ａ、２２ｂが裏剥離紙４０上に重なるようになっている。
【００３３】
このような構成ではなく単に各延出部２２ａ、２２ｂのみが延び出している構成の場合、例えば流通時や保管時に、延出部２２ａ、２２ｂの変形や破損が起こり易い。これに対して本実施形態のような構成によれば、延出部２２ａ、２２ｂが裏剥離紙４０上に重なっているので、延出部２２ａ、２２ｂの変形や破損を防止することができ、取扱い性が向上する。
【００３４】
また、後述するとおり、表剥離紙２０の各延出部２２ａ、２２ｂの裏面（裏剥離紙に対向する面）は被験者の体に接触する部分であるところ、本実施形態のように延出部２２ａ、２２ｂが裏剥離紙４０上に重なっている場合、基本的には、裏剥離紙４０を剥がすまでは各延出部２２ａ、２２ｂの裏面が露出されることはないので、衛生面でも有利である。
【００３５】
図１に示すように、粘着シート３０の両面に剥離紙２０、４０が貼られた状態では、各延出部２２ａ、２２ｂの間で、裏剥離紙４０の一部が露出する。裏剥離紙４０を剥離する際には、この露出領域を摘まんで該裏剥離紙４０を剥がすことができるため、剥がし易い。
【００３６】
次に、固定テープ５８およびカバーテープ５５について説明する。
一例として、固定テープ５８およびカバーテープ５５はいずれも、布製の基材の片面に粘着層が設けられた絆創膏状のテープである。
【００３７】
固定テープ５８は、漏出検出ユニット１８のコード１８ａを固定するためのものであり、図１に示すように、その輪郭形状は長方形である。
カバーテープ５５は、漏出検出ユニット１８を覆うようにして貼り付けられるものであり、漏出検出ユニット１８を覆う円形の本体部５５ａと、その両側に形成され径方向外側に延び出したバンド部５５ｂ、５５ｂとを有している。
【００３８】
図１に示すように、カバーテープ５５は、そのテープを被験者の体から剥がし易いように切れ目５９が形成されていてもよい。この切れ目５９としては、カバーテープを左右に分割する縦の切れ目であってもよいし、カバーテープを上下に分割する横の切れ目であってもよい。
【００３９】
なお、図示は省略するが、固定テープ５８の粘着層側に貼られる剥離紙は、該剥離紙を剥がしやすいように、その中央部付近（一例）に切込みが入れられ２つまたはそれ以上に分割されていてもよい。同様に、カバーテープ５５に貼られる剥離紙も、その中央部付近（一例）に切込みが入れられ２つまたはそれ以上に分割されていてもよい。
【００４０】
図１に示す剥離紙付き粘着シート５０、固定テープ５８、およびカバーテープ５５は、１つの袋（不図示）の中に入れられていてもよい。このように粘着シート５０、固定テープ５８、およびカバーテープ５５が１つのキットとして取り扱われるようになっている場合、医療現場において、医師等が粘着シート５０やテープ５５、５８のそれぞれを用意する必要がない。すなわち、漏出検出ユニット１８を固定するための部材が全て揃っているので、部材の欠品のおそれがなく、ユニット１８を良好に固定することができる。
【００４１】
上記のように構成された本実施形態のシートキット１００の使用方法について以下説明する。
先ず、図６に示すように裏剥離紙４０を剥がす。これにより、粘着シート３０の裏面が露出した状態となる。
【００４２】
次いで、図７に示すように、表剥離紙２０が付いた状態の粘着シート３０を被験者の体に貼る。この貼付けは、注入針１２を穿刺した後に行われる。貼付けの前には貼付け位置周辺が清拭される。
【００４３】
粘着シート３０は、図８に示すように、表剥離紙２０の表面の十字ガイド２７の中心が針先位置Ｐ１に重なるような位置に貼り付けられる。
通常、注入針１２の先端側は被験者の体に挿入されており目視できないため、粘着シートを正確な位置に貼ることは容易ではない。しかしながら本実施形態によれば、図８（３０〜４５ｍｍの長さ針の場合を示している）に示すように、穿刺位置目印２８−２と穿刺位置Ｐ１とが合うように位置決めを行うことで、針先位置Ｐ１と十字ガイド２７の中心とを正確に揃えることができる。
【００４４】
さらに本実施形態によれば、図８に示すように、表剥離紙２０が付いた状態でもその下の粘着シート３０のリング状マーク３３を視認することができるようになっているので、このリング状マーク３３をガイドとして位置決めを行うこともでき、より正確な貼り付けが可能となる。
【００４５】
粘着シート３０が被験者の体に貼り付けられたら、次いで、表剥離紙２０を剥がす。これにより、粘着シート３０のみが被験者の体に残った状態となる。
次いで、漏出検出ユニット１８が粘着シート３０のリング状マーク３３上に位置するように、漏出検出ユニット１８を貼り付ける。この際、センサケーブル１８ａは穿刺位置Ｐ２にかからないように、穿刺位置Ｐ２とは反対側（図９では上側）に引き出される。
【００４６】
次いで、固定テープ５８を貼ってセンサケーブル１８ａを被験者の体に固定する。その後、カバーテープ５５を貼り、漏出検出ユニット１８をしっかりと固定する。カバーテープ５５は、漏出検出ユニット１８を上方から覆うように貼り付けられ、これにより、漏出検出ユニット１８の固定がより確実となり、また、漏出検出ユニット１８の下面が被験者の体の表面にしっかりと密着することとなるので、正確な漏出検出が行えるものとなる。
【００４７】
漏出検出ユニット１８の取外しは次のような手順（一例）で行うことができる。
まず、カバーテープ５５を剥がす。本実施形態では、カバーテープ５５に切れ目５９が形成されているので、該カバーテープ５５を半分ずつ（または１／４ずつ）剥がすことができる。このような切れ目５９が形成されていない場合、剥がし方にもよるが、カバーテープ５５と一緒に漏出検出ユニット１８や粘着テープ３０までもが剥がれるおそれがある。しかしながら、カバーテープ５５を半分ずつ（または１／４ずつ）剥がすことができれば、漏出検出ユニット１８や粘着テープ３０を１つずつ丁寧に剥がすことが可能となる。
【００４８】
以上説明した本実施形態の剥離紙付き粘着シート５０によれば、注入針の穿刺位置Ｐ２からその注入針の針先位置Ｐ１までの距離を示す穿刺位置目印２８が設けられているので、その目印を利用して粘着シート３０を針先付近に正確に貼り付けることができ、ひいては、ユニット１８を正確に位置決めすることが可能となる。
特に、この穿刺位置目印２８が、粘着シート３０上ではなく、最終的に剥がされる剥離シート２０上に設けられているので、粘着シート３０自体のサイズを大きくする必要もない。
【００４９】
以上本発明の一形態について説明したが、本発明は上記に限定されるものではなく、種々変更可能である。
例えば、穿刺位置目印２８が両方の延出部２２ａ、２２ｂに設けられていてもよい。または、表剥離紙２０ではなく裏剥離紙４０に穿刺位置目印が設けられていてもよい。
【００５０】
粘着シート３０の形状は、使用する漏出検出ユニット１８の形状に対応させて適宜変更することができ、例えば、四角形や多角形であってもよい。
表剥離紙２０に印刷される注入針の針先位置を示すマークは、必ずしも十字に限定されるものではなく、針先位置を指示することができるものであれば形状は任意である。
【符号の説明】
【００５１】
１２  注入針
１８  漏出検出ユニット
２０  表剥離紙
２２ａ、２２ｂ  延出部
２７  十字ガイド
２８  穿刺位置目印
３０  粘着テープ
３３  リング状マーク
３７  粘着層
４０  裏剥離紙
５５  カバーテープ
５８  固定テープ
５９  切れ目
Ｐ１  針先位置
Ｐ２  穿刺位置
【図１】
0005461273.tif 000002
【図２】
0005461273.tif 000003
【図３】
0005461273.tif 000004
【図４】
0005461273.tif 000005
【図５】
0005461273.tif 000006
【図６】
0005461273.tif 000007
【図７】
0005461273.tif 000008
【図８】
0005461273.tif 000009
【図９】
0005461273.tif 000010